(57)【要約】【課題】リモート撮影可能で、通信速度が不足することを防止したデジタルカメラを低コストで提供する。【解決手段】デジタルカメラ１０は、本体ユニット１１と、この本体ユニット１１に着脱自在に装着されるレンズユニット１２とで構成されている。レンズユニット１２が本体ユニット１１に装着されている場合、アンテナ１７，２７、及び無線Ｉ／Ｆ４９，６３によって、レンズユニット１２と本体ユニット１１との間で制御信号を無線で送受信するとともに、シリアルドライバ４８，６２によって、マウント接点１８，５９を介して、レンズユニット１２によって撮像された画像データ１１を本体ユニット１１へ送信させ、レンズユニット１２の離脱が検出された場合、アンテナ１７，２７、及び無線Ｉ／Ｆ４９，６３によって、制御信号を無線で送受信するとともに、画像データを無線で送信させる。【選択図】図５
2007129433.tif 000002
【特許請求の範囲】
【請求項１】
撮影レンズ及び固体撮像素子を有するレンズユニットと、このレンズユニットが着脱自在に装着され、前記レンズユニットを制御する本体ユニットとで構成されるデジタルカメラにおいて、
前記レンズユニットと前記本体ユニットとの間で、無線によってデータの送受信を行う無線通信手段と、
前記レンズユニットが前記本体ユニットに装着された時に、前記無線通信手段よりも高速に通信することが可能な近接通信手段と、
前記レンズユニットの着脱を検出する着脱検出手段と、
前記着脱検出手段によって前記レンズユニットの装着が検出された場合、前記無線通信手段を制御して、前記レンズユニットと前記本体ユニットとの間で制御信号を無線で送受信するとともに、前記近接通信手段を制御して、前記レンズユニットによって撮像された画像データを送信させ、前記レンズユニットの離脱が検出された場合、前記無線通信手段を制御して、前記制御信号を無線で送受信するとともに、前記本体ユニットへ前記画像データを無線で送信させる制御手段と
を備えていることを特徴とするデジタルカメラ。
【請求項２】
前記近接通信手段は、前記レンズユニットから前記本体ユニットへの片方向通信手段であることを特徴とする請求項１記載のデジタルカメラ。
【請求項３】
前記近接通信手段は、前記レンズユニットが前記本体ユニットに装着された時に、これらを電気的に接続する接点を介して、低電圧差動伝送を行う高速シリアル通信手段であることを特徴とする請求項１または請求項２記載のデジタルカメラ。
【請求項４】
前記近接通信手段は、近距離光通信手段であることを特徴とする請求項１または請求項２記載のデジタルカメラ。
【請求項５】
前記レンズユニットを装着して撮影を行った場合、前記制御手段は、予め設定された画素数の主画像データを前記近接通信手段で送信させて、前記本体ユニット側の第１記憶手段に記憶させ、前記レンズユニットを離脱させて撮影を行った場合、前記制御手段は、前記主画像データを前記レンズユニット側の第２記憶手段に記憶させ、前記無線通信手段によって、前記主画像データよりも画素数の少ないサムネイルデータを前記レンズユニットに送信させて、前記サムネイルデータを前記第１記憶手段に記憶させることを特徴とする請求項１ないし請求項４のいずれか記載のデジタルカメラ。
【請求項６】
前記レンズユニットは、前記画像データを圧縮する圧縮手段を備え、前記本体ユニットは、前記主画像データを前記レンズユニットに転送するのに必要なデータレートと、前記無線通信手段の実効転送レートとを比較する比較手段とを備え、
前記着脱検出手段によって、前記レンズユニットの離脱が検出された場合、前記比較手段によって、前記データレートと前記実効転送レートとを比較し、前記データレートが前記実効転送レートよりも大きいと判定された時に、前記圧縮手段によって圧縮処理が施された前記サムネイルデータを前記本体ユニットへ無線で送信させ、前記データレートが前記実効転送レート以下であると判定された時に、前記圧縮手段によって圧縮処理が施された前記主画像データを前記本体ユニットへ無線で送信させることを特徴とする請求項５記載のデジタルカメラ。
【請求項７】
前記データレートが前記実効転送レートよりも大きいと判定された場合、前記第１記憶手段に、前記サムネイルデータ、及びこのサムネイルデータに対応する前記主画像データとのリンク情報で構成されるサムネイルファイルを記憶させ、前記第２記憶手段に、前記主画像データ、及びこの主画像データに対応する前記サムネイルデータとのリンク情報で構成される主画像ファイルを記憶させることを特徴とする請求項６記載のデジタルカメラ。
【請求項８】
前記サムネイルファイル及び前記主画像ファイルのファイル名は、同一にされていることを特徴とする請求項７記載のデジタルカメラ。
【請求項９】
前記本体ユニットは、画像を表示する表示手段を有し、この表示手段は、前記主画像データ及び前記サムネイルデータを区別することなく表示することを特徴とする請求項５ないし８のいずれか記載のデジタルカメラ。
【請求項１０】
前記無線通信手段は、前記第１記憶手段に記憶された前記サムネイルファイルのファイル名またはフォルダ名の少なくとも一方を前記レンズユニットに送信し、前記主画像ファイルは、前記ファイル名または前記フォルダ名の少なくとも一方に基づいて、前記ファイル名または前記フォルダ名が付与されることを特徴とする請求項７ないし９のいずれか記載のデジタルカメラ。
【請求項１１】
前記レンズユニットが装着された時に、前記制御手段は、前記第１記憶手段に前記サムネイルファイルが記憶されている場合、このサムネイルファイルに対応する前記主画像ファイルを要求する要求コマンドを前記レンズユニットに送信し、前記要求コマンドに対応する前記主画像ファイルを前記レンズユニットから受信されると、前記サムネイルファイルを前記主画像ファイルに置き換えることを特徴とする請求項７ないし１０のいずれか記載のデジタルカメラ。
【請求項１２】
前記第１記憶手段に記憶された前記サムネイルファイルが、動画サムネイルファイルの場合、前記動画サムネイルファイルを前記第２記憶手段に記憶された動画主画像ファイルに置き換える前に、前記動画主画像ファイルに対して、前記動画サムネイルファイル内の動画サムネイルデータを付加することを特徴とする請求項７ないし１１のいずれか記載のデジタルカメラ。
【請求項１３】
前記制御手段は、前記着脱検出手段によって前記レンズユニットの装着が検出された場合、前記レンズユニットによって撮像されたスルー画データを前記近接通信手段によって前記本体ユニットへ送信させ、前記レンズユニットの離脱が検出された場合、前記圧縮手段によって、前記スルー画データに対して圧縮処理を施した後、前記無線通信手段によって前記本体ユニットへ送信させることを特徴とする請求項６ないし１２のいずれか記載のデジタルカメラ。
【発明の詳細な説明】
【技術分野】
【０００１】
本発明は、撮影レンズ及び固体撮像素子を有するレンズユニットと、このレンズユニットが着脱自在に装着される本体ユニットとで構成されるデジタルカメラに関する。
【背景技術】
【０００２】
近年、ＣＣＤイメージセンサ等の固体撮像素子によって撮像された画像データを記憶するデジタルカメラが一般に普及している。また、撮影レンズ及び固体撮像素子を有するレンズユニットと、このレンズユニットが着脱自在に装着される本体ユニットとで構成されるデジタルカメラが知られている。
【０００３】
また、このようなデジタルカメラでは、レンズユニットと本体ユニットとの間でデータを無線通信することによって、レンズユニットを本体ユニットに装着せずに撮影を行うリモート撮影と、レンズユニットを本体ユニットに装着して撮影を行う通常撮影とを可能にしたものが知られている（例えば、特許文献１〜４参照）。
【０００４】
引用文献１〜４に記載のデジタルカメラは、固体撮像素子を内蔵したレンズユニットと、このレンズユニットが着脱自在に装着され、画像データの記憶及び表示を行う本体ユニットとで構成されるデジタルカメラであり、レンズユニットと本体ユニットとの間で無線でデータの送受信を行う無線通信手段を設け、画像データや制御信号等を無線で送受信することによって、リモート撮影を可能にしている。このため、レンズユニットと本体ユニットとをケーブルで接続して分離させて撮影を行う場合に比べて、ケーブル接続による制限がなくなり、操作性を向上させることができる。
【特許文献１】特開平１０−１１７３０２号公報
【特許文献２】特開平１０−２４３２７７号公報
【特許文献３】特開平９−２６１５１９号公報
【特許文献４】特開平１１−２９８７７０号公報
【発明の開示】
【発明が解決しようとする課題】
【０００５】
しかしながら、上記特許文献１〜４に記載のデジタルカメラにおいて、無線通信は、有線通信と比較して一般に通信速度が遅く、レンズユニットにて静止画の高速連写や、ハイビジョンクラスの動画など単位時間当たりに大容量の画像データを撮影する場合、通信速度が不足するという問題や、極端に広帯域の周波数を用いてデータ伝送を行わなければならないという問題がある。
【０００６】
また、無線通信は、有線通信と比較して安定性も低下するために、動画データの転送中にノイズがのったりすると一瞬転送が停止し、この動画データがそのまま本体ユニットの記憶メディアに記憶されてしまうという問題もある。
【０００７】
さらに、レンズユニットが装着されるマウントやスロットなどの接点による通信を組み合わせ、これらをレンズユニットの装着時、分離時で切り替えて使用することにより、レンズユニットの装着時には、無線の通信速度が遅いという欠点を改善することが可能である。しかし、単に通信経路を切り替えるだけでは、レンズユニットの装着時に、無線通信手段が無駄になってしまうという問題や、コストが高くなるという問題があった。
【０００８】
本発明は、上記事情に鑑みてなされたものであり、リモート撮影が可能で、通信速度が不足することを防止したデジタルカメラを低コストで提供することを目的とする。
【課題を解決するための手段】
【０００９】
上記課題を解決するために、本発明のデジタルカメラは、撮影レンズ及び固体撮像素子を有するレンズユニットと、このレンズユニットが着脱自在に装着され、前記レンズユニットを制御する本体ユニットとで構成されるデジタルカメラであり、前記レンズユニットと前記本体ユニットとの間で、無線によってデータの送受信を行う無線通信手段と、前記レンズユニットが前記本体ユニットに装着された時に、前記無線通信手段よりも高速に通信することが可能な近接通信手段と、前記レンズユニットの着脱を検出する着脱検出手段と、前記着脱検出手段によって前記レンズユニットの装着が検出された場合、前記無線通信手段を制御して、前記レンズユニットと前記本体ユニットとの間で制御信号を無線で送受信するとともに、前記近接通信手段を制御して、前記レンズユニットによって撮像された画像データを送信させ、前記レンズユニットの離脱が検出された場合、前記無線通信手段を制御して、前記制御信号を無線で送受信するとともに、前記本体ユニットへ前記画像データを無線で送信させる制御手段とを備えていることを特徴とするものである。
【００１０】
また、前記近接通信手段は、前記レンズユニットから前記本体ユニットへの片方向通信手段であることが好ましい。
【００１１】
さらに、前記近接通信手段は、前記レンズユニットが前記本体ユニットに装着された時に、これらを電気的に接続する接点を介して、低電圧差動伝送を行う高速シリアル通信手段であることが好ましい。また、前記近接通信手段は、近距離光通信手段でも良い。
【００１２】
また、前記レンズユニットを装着して撮影を行った場合、前記制御手段は、予め設定された画素数の主画像データを前記近接通信手段で送信させて、前記本体ユニット側の第１記憶手段に記憶させ、前記レンズユニットを離脱させて撮影を行った場合、前記制御手段は、前記主画像データを前記レンズユニット側の第２記憶手段に記憶させ、前記無線通信手段によって、前記主画像データよりも画素数の少ないサムネイルデータを前記レンズユニットに送信させて、前記サムネイルデータを前記第１記憶手段に記憶させることが好ましい。
【００１３】
さらに、前記レンズユニットは、前記画像データを圧縮する圧縮手段を備え、前記本体ユニットは、前記主画像データを前記レンズユニットに転送するのに必要なデータレートと、前記無線通信手段の実効転送レートとを比較する比較手段とを備え、前記着脱検出手段によって、前記レンズユニットの離脱が検出された場合、前記比較手段によって、前記データレートと前記実効転送レートとを比較し、前記データレートが前記実効転送レートよりも大きいと判定された時に、前記圧縮手段によって圧縮処理が施された前記サムネイルデータを前記本体ユニットへ無線で送信させ、前記データレートが前記実効転送レート以下であると判定された時に、前記圧縮手段によって圧縮処理が施された前記主画像データを前記本体ユニットへ無線で送信させることが好ましい。
【００１４】
また、前記データレートが前記実効転送レート以上であると判定された場合、前記第１記憶手段に、前記サムネイルデータ、及びこのサムネイルデータに対応する前記主画像データとのリンク情報で構成されるサムネイルファイルを記憶させ、前記第２記憶手段に、前記主画像データ、及びこの主画像データに対応する前記サムネイルデータとのリンク情報で構成される主画像ファイルを記憶させることが好ましい。
【００１５】
さらに、前記サムネイルファイル及び前記主画像ファイルのファイル名は、同一にされていることが好ましい。
【００１６】
また、前記本体ユニットは、画像を表示する表示手段を有し、この表示手段は、前記主画像データ及び前記サムネイルデータを区別することなく表示することが好ましい。
【００１７】
さらに、前記無線通信手段は、前記第１記憶手段に記憶された前記サムネイルファイルのファイル名またはフォルダ名の少なくとも一方を前記レンズユニットに送信し、前記主画像ファイルは、前記ファイル名または前記フォルダ名の少なくとも一方に基づいて、前記ファイル名または前記フォルダ名が付与されることが好ましい。
【００１８】
また、前記レンズユニットが装着された時に、前記制御手段は、前記第１記憶手段に前記サムネイルファイルが記憶されている場合、このサムネイルファイルに対応する前記主画像ファイルを要求する要求コマンドを前記レンズユニットに送信し、前記要求コマンドに対応する前記主画像ファイルを前記レンズユニットから受信されると、前記サムネイルファイルを前記主画像ファイルに置き換えることが好ましい。
【００１９】
さらに、前記第１記憶手段に記憶された前記サムネイルファイルが、動画サムネイルファイルの場合、前記動画サムネイルファイルを前記第２記憶手段に記憶された動画主画像ファイルに置き換える前に、前記動画主画像ファイルに対して、前記動画サムネイルファイル内の動画サムネイルデータを付加することが好ましい。
【００２０】
また、前記制御手段は、前記着脱検出手段によって前記レンズユニットの装着が検出された場合、前記レンズユニットによって撮像されたスルー画データを前記近接通信手段によって前記本体ユニットへ送信させ、前記レンズユニットの離脱が検出された場合、前記圧縮手段によって、前記スルー画データに対して圧縮処理を施した後、前記無線通信手段によって前記本体ユニットへ送信させることが好ましい。
【発明の効果】
【００２１】
本発明のデジタルカメラによれば、レンズユニットが本体ユニットに装着されている場合、画像データを近接通信手段、制御信号を無線通信手段で送信し、レンズユニットが離脱されている場合、画像データ及び制御信号の両方を無線通信手段で送信するので、レンズユニットを本体ユニットに装着した場合、制御信号の送受信に無線通信手段を利用するため、無線通信手段及び近接通信手段を最大限に活用することが可能であり、また、画像データを近接通信手段で送信するため、通信速度が不足することを防止できる。さらに、近接通信手段を画像データの送信のみに用いるため、接点の数などを減らすことにより製造コストを低くできる。
【００２２】
また、近接通信手段は、片方向通信手段であり、双方向通信手段を用いた場合と比較して、製造コストを低減することができる。
【００２３】
さらに、レンズユニットを離脱させて撮影を行った場合、主画像データを第２記憶手段に記憶させ、無線通信手段によって、サムネイルデータを本体ユニットに送信して、第１記憶手段に記憶させるので、レンズユニットを離脱させて撮影を行った場合でも、無線通信の通信速度に関わらず、動画撮影や高速連写を行うことが可能である。また、主画像データを無線通信手段によって本体ユニットに送信せずに、第２記憶手段に記憶させるので、無線送信速度の不足によって主画像データにノイズが発生することを防止できる。
【００２４】
また、レンズユニットを本体ユニットから離脱させて撮影を行う場合、主画像データを転送するのに必要なデータレートが、実効転送レートよりも大きい場合、主画像データを転送せずに、圧縮処理を施したサムネイルデータを転送するので、無線通信手段によって制御信号の送信速度が低下して、各種操作に対するレスポンスの低下を防止できる。
【００２５】
さらに、主画像ファイルは、サムネイルファイルのファイル名またはフォルダ名に基づいて、ファイル名またはフォルダ名が付与されるので、互いに対応するファイルを検索することが容易である。また、これらのファイル名を同一にすることによって、互いに対応するファイルをさらに容易に検索することができる。
【００２６】
また、サムネイルデータと主画像データと区別せずに表示手段に表示されるので、レンズユニット分離時に撮影した画像を確認することができる。
【００２７】
さらに、レンズユニットを離脱させて撮影を行った後、レンズユニットを装着した時に、第１記憶手段に記憶されたサムネイルファイルが、第２記憶手段に記憶された主画像ファイルに自動的に置き換えられるので、２つの記憶手段にバラバラに記憶されたままの状態になることを防止できる。
【００２８】
また、前記サムネイルファイルが、動画サムネイルファイルの場合、前記動画サムネイルファイルを動画主画像ファイルに置き換える前に、前記動画主画像ファイルに対して、前記動画サムネイルファイル内の動画サムネイルデータを付加するので、動画主画像ファイルを効率良く生成することができる。
【００２９】
さらに、レンズユニットがカメラ本体から離脱されている場合、スルー画データに対して圧縮処理を施して送信するので、無線通信手段に負荷がかからない。このため、制御信号の送信速度が低下することを防止できる。
【発明を実施するための最良の形態】
【００３０】
最初に、第１の実施形態であるデジタルカメラ１０について説明する。デジタルカメラ１０は、図１に示すように、本体ユニット１１と、レンズユニット１２とで構成されており、レンズユニット１２は、本体ユニット１１に着脱自在に装着される。このデジタルカメラ１０は、レンズユニット１２を本体ユニット１１に装着させて撮影を行う通常撮影と、レンズユニット１２を本体ユニット１１に装着させずに撮影を行うリモート撮影とが可能である。
【００３１】
レンズユニット１２の前面には、撮影レンズ１３が露呈されており、背面にはマウント部１４が設けられている。このマウント部１４は、３つのバヨネット爪１５を備え、これらが外周に沿って等間隔に配置されている。また、このレンズユニット１２内には、撮影レンズ１３によって結像された被写体像を撮像する固体撮像素子であるＣＣＤイメージセンサ（以下、単にＣＣＤと称する）１６が設けられている。
【００３２】
さらに、レンズユニット１２の外周面には、本体ユニット１１との間でデータを無線で送受信する無線送受信手段であるアンテナ１７が設けられている。また、バヨネット爪１５には、マウント接点１８が設けられている。このマウント接点１８は、例えば、各バヨネット爪１５に８個の合計２４個の接点で構成されている。なお、このレンズユニット１２としては、撮影レンズ１３の焦点距離が異なるものや、ＣＣＤ１６の画素数が異なるものなどの複数種類が用意される。
【００３３】
また、本体ユニット１１の前面には、マウント部１９が設けられている。このマウント部１９は、３つのバヨネット溝２０を備えており、これらはマウント部１９の外周に沿って等間隔に配置されている。前述のレンズユニット１２を本体ユニット１１に装着する場合、バヨネット爪１５をバヨネット溝２０に位置合わせして押し込み、時計回りに回転させることによって、レンズユニット１２が本体ユニット１１に装着される。
【００３４】
前述のマウント接点１８は、レンズユニット１２が本体ユニット１１に装着された時に、マウント部１９に設けられたマウント接点（図示せず）と電気的に接続される。なお、マウント部１９に設けられたマウント接点は、マウント接点１８と同様に２４個の接点で構成されており、各接点同士が電気的に接続される。
【００３５】
また、マウント部１９には、ロックピン２１が設けられており、レンズユニット１２が本体ユニット１１に装着された時に、このロックピン２１が、レンズユニット１２の背面に形成されたピン孔（図示せず）と係合して、レンズユニット１２の回転がロックされる。このため、レンズユニット１２が回転して、本体ユニット１１から脱落することが防止される。
【００３６】
さらに、マウント部１９には、前方に向かってバネ付勢されたマウント蓋２２が設けられており、レンズユニット１２が装着されていない時に、本体ユニット１１内に塵埃が侵入することが防止されている。
【００３７】
また、マウント部１９の近傍には、ロック解除ボタン２３が設けられている。レンズユニット１２が本体ユニット１１に装着されている時に、このロック解除ボタン２３が押圧操作されると、この操作に連動してロックピン２１が後方に移動し、ロックピン２１とピン孔（図示せず）との係合が解除される。このため、ロック解除ボタン２３を押圧しながら、レンズユニット１２を回転させることによって、レンズユニット１２を本体ユニット１１から取り外すことができる。
【００３８】
また、本体ユニット１１の前面上部には、ストロボ２４が設けられており、本体ユニット１１の上面には、撮影時に押圧操作されるシャッタボタン２５と、モードを切り替えるときに回転操作される切り替えダイヤル２６と、レンズユニット１２との間でデータを無線で送受信する無線送受信手段であるアンテナ２７とが設けられている。
【００３９】
本体ユニット１１の背面には、図２に示すように、電源操作ボタン２８と、画像や各種設定画面等を表示するＬＣＤ２９と、カーソル操作ボタン３１と、メニューボタン３２と、実行ボタン３３と、キャンセルボタン３４とを備えて構成されている。
【００４０】
また、本体ユニット１１は、動画撮影モードと、静止画撮影モードと、各種設定を行うセットアップモードと、記憶画像を再生する再生モードとを有しており、前述の切り替えダイヤル２６を回転操作することによって各モードが選択される。例えば、図３に示すように、切り替えダイヤル２６に表示された「Ｃａｍ」を矢印３５に合わせると、静止画撮影モードに設定される。同様に、「Ｍｏｖ」で動画撮影モード、「Ｓｅｔｕｐ」でセットアップモード、「Ｐｌａｙ」で再生モードに設定される。
【００４１】
切り替えダイヤル２６を「Ｓｅｔｕｐ」の位置に回転操作して、セットアップモードに設定すると、例えば、図４に示すセットアップ画面がＬＣＤ２９に表示される。この時、前述の操作ボタン３１〜３４を操作することによって、所望の項目の設定を変更することができる。
【００４２】
例えば、「記憶モード」の項目において、画質（ＪＰＥＧ圧縮率）として「Ｆｉｎｅ」，「Ｂａｓｉｃ」があり、いずれか一方にカーソル３６を移動させて、実行ボタン３３を操作することによって設定を変更することが可能である。
【００４３】
また、「静止画の画素数」の項目では、静止画撮影時の画素数として、「２４００×１８００」、「１６００×１２００」、「１０２４×７６８」、及び「６４０×４８０」の４つの中から選択可能である。さらに、「動画の画素数」の項目では、「１９２０×１０８０」、「６４０×４８０」、「３２０×２４０」の３つの中から選択可能である。また、「シャープネス」の項目では、「ハード」、「標準」、及び「ソフト」の３つの中から選択可能である。
【００４４】
次に、レンズユニット１２の電気的構成について説明する。図５に示すように、レンズユニット１２には、ユニット内の各部を制御するユニット制御部４０が設けられている。ユニット制御部４０は、各部を制御するための制御プログラムが記憶されたＲＯＭ４０ａと、作業用データを一時的に記憶するＲＡＭ４０ｂとを備えている。ユニット制御部４０は、この制御プログラムに基づいて各部を制御する。
【００４５】
ユニット制御部４０には、データバス４１を介してタイミングジェネレータ（以下、ＴＧと称する）４２が接続されている。このＴＧ４２には、ＣＣＤ１６、アナログ信号処理部４３、Ａ／Ｄ変換器４４、及びデジタル信号処理部４５が接続されている。これらは、ＴＧ４２によって生成されたタイミング信号によって駆動される。
【００４６】
ユニット制御部４０は、このＴＧ４２を制御することによって、ＣＣＤ１６、アナログ信号処理部４３、Ａ／Ｄ変換器４４、及びデジタル信号処理部４５の駆動を制御する。ＣＣＤ１６は、撮影レンズ１３によって結像された被写体像を光電変換によって電気信号に変換し、撮像信号を出力する。
【００４７】
このＣＣＤ１６は、アナログ信号処理部４３と接続されており、撮像信号がアナログ信号処理部４３に出力される。アナログ信号処理部４３は、Ａ／Ｄ変換器４４に接続されており、撮像信号に対してノイズの除去や増幅処理を施して、Ａ／Ｄ変換器４４に出力する。ノイズの除去や増幅が施された撮像信号は、Ａ／Ｄ変換器４４によってアナログ信号からデジタル信号に変換され、画像データとして出力される。
【００４８】
また、Ａ／Ｄ変換器４４には、デジタル信号処理部４５が接続されている。このデジタル信号処理部４５は、Ａ／Ｄ変換器４４から取得した画像データに対して、オフセット補正、ＷＢ（ホワイトバランス）補正、ガンマ補正、及びＹＣ変換処理等の各種画像処理を施し、非圧縮状態のＹＣ信号にリアルタイムに変換する。
【００４９】
レンズユニット１２の装着時には、このＹＣ出力信号は、後述するシリアルドライバ４８によってリアルタイムで本体ユニット１１へ転送される。しかし、レンズユニット１２が本体ユニット１１から分離されている場合、無線通信では伝送速度に時間を要するので、非圧縮のＹＣ信号をそのまま転送せずに、レンズユニット１２内の圧縮処理部４７によって圧縮した後、本体ユニット１１へ転送される。また、このデジタル信号処理部４５は、動画主画像データをリサイズして動画サムネイルを生成する機能や、静止画主画像データをリサイズして静止画サムネイルデータを生成する機能や、スルー画を生成する機能等を有している。なお、後述する圧縮処理部４７によって、これらのデータを生成しても良い。
【００５０】
また、前述のＡ／Ｄ変換器４４には、ＡＥ／ＡＦ検出部４６が接続されており、画像データが入力される。ＡＥ／ＡＦ検出部４６は、データバス４１を介してユニット制御部４０に接続されており、ユニット制御部４０によって制御される。このＡＥ／ＡＦ検出部４６は、Ａ／Ｄ変換器４４から取得した画像データに基づいて、露出が最適となるＡＥ検出値を検出してＡＥ検出値をユニット制御部４０に出力する。さらに、ＡＥ／ＡＦ検出部４６は、画像データの高周波成分を積分して、この積分値が最大となるＡＦ検出値をユニット制御部４０に出力する。
【００５１】
ユニット制御部４０は、ＡＥ検出値に基づいてＣＣＤ１６の電子シャッタ速度等を制御し、さらに、ＡＦ検出値に基づいて、図示せぬモータを制御して、撮影レンズ１３のフォーカスレンズを合焦位置に移動させる。
【００５２】
また、データバス４１には、ユニット制御部４０、ＴＧ４２、デジタル信号処理部４５、及びＡＥ／ＡＦ検出部４６の他に、圧縮処理部４７、シリアルドライバ４８、無線Ｉ／Ｆ４９、及びメディアコントローラ５１が接続されており、これらは、ユニット制御部４０によって制御される。
【００５３】
圧縮処理部４７は、デジタル信号処理部４５によって各種画像処理が施されたスルー画データや動画サムネイルデータに対して、ＪＰＥＧ圧縮を施してＭｏｔｉｏｎＪＰＥＧとする機能や、動画撮影時に動画主画像データをＭＰＥＧ圧縮する機能（ＭＰＥＧ２，ＭＰＥＧ４など）を有している。なお、圧縮形式は、前述のものに限らず、例えば、「H.264」等の圧縮形式で圧縮しても良い。
【００５４】
また、シリアルドライバ４８は、マウント接点１８に接続されており、画像データをパラレル信号からシリアル信号に変換して、マウント接点１８を介して本体ユニット１１に送信する。なお、このシリアルドライバ４８は、ＬＶＤＳ（Low Voltage Differential Signaling）方式で、マウント接点１８を介して、画像データを本体ユニット１１に転送する。なお、このＬＶＤＳ方式とは、抵抗の両端の電位差を利用した低振幅の差動方式で画像データを高速でシリアル転送する方式である。
【００５５】
無線Ｉ／Ｆ４９は、アンテナ１７に接続されている。制御信号等のデータは、無線Ｉ／Ｆ４９によって無線送信用のデータに変換され、アンテナ１７によって本体ユニット１１に送信される。また、このアンテナ１７は、本体ユニット１１から送信された制御信号等のデータを受信する。なお、この無線Ｉ／Ｆ４９は、無線ＬＡＮ（IEEE802.11b）であり、アンテナ１７は、２．４ＧＨｚの周波数帯域でデータを送受信する。
【００５６】
また、メディアコントローラ５１は、圧縮処理が施された画像データを記憶メディア５２に記憶させ、さらに、記憶メディア（第２記憶手段）５２に記憶された画像データの読み出しを行う。なお、記憶メディア５２としては、メモリカード等の着脱自在な記憶媒体が用いられる。
【００５７】
また、マウント接点１８には、電源制御部５３が接続されている。この電源制御部５３には、バッテリ５４、及びＤＣ／ＤＣコンバータ５５が接続されており、さらに、バッテリ５４は、ＤＣ／ＤＣコンバータ５５に接続されている。電源制御部５３は、ＤＣ／ＤＣコンバータ５５を制御して、バッテリ５４から供給される電圧を所定の電圧に変圧させて、レンズユニット１２内の各部に電源供給させる。また、電源制御部５３、及びＤＣ／ＤＣコンバータ５５は、マウント接点１８に接続されている。
【００５８】
また、電源制御部５３には、電源操作部５６が接続されており、この電源操作部５６から操作信号が入力される。電源制御部５３は、電源操作部５６から操作信号であるＯＮ信号が入力された時に、ＤＣ／ＤＣコンバータ５５を制御して、各部への電源供給を開始する。
【００５９】
次に、本体ユニット１１の電気的構成について説明する。本体ユニット１１には、本体内の各部を制御する制御手段である本体制御部６０が設けられている。本体制御部６０は、各部を制御するための制御プログラムが記憶されたＲＯＭ６０ａと、作業用データを一時的に記憶するＲＡＭ６０ｂとを備えている。本体制御部６０は、この制御プログラムに基づいて各部を制御する。
【００６０】
本体制御部６０には、データバス６１を介して、シリアルドライバ６２、無線Ｉ／Ｆ６３、圧縮伸張処理部６４、ＬＣＤドライバ６５、メディアコントローラ６６、ストロボ制御部６７、及びＩ／Ｏポート６８が接続されており、これらは、本体制御部６０によって制御される。
【００６１】
シリアルドライバ６２は、マウント接点５９に接続されており、レンズユニット１２からマウント接点５９を介して画像データを受信し、画像データをシリアル信号からパラレル信号に変換する。このシリアルドライバ６２は、前述のシリアルドライバ４８ともに、マウント接点１８，５９を介して、ＬＶＤＳ方式でシリアルドライバ４８によって転送された画像データを受信する。
【００６２】
これらのシリアルドライバ４８，６２は、前述のマウント接点１８，５９のうち２本、あるいは４本をパラレルで使用することによって、レンズユニット１２によって撮像された画像データを本体ユニット１１へリアルタイムで転送する高速シリアル通信手段である。また、シリアルドライバ４８，６２の送信方向は、レンズユニット１２から本体ユニット１１への片方向である。このため、本体ユニット１１側にＬＶＤＳの送信機、レンズユニット１２側にＬＶＤＳの受信機を設ける必要がないので、デジタルカメラ１０の製造コストを低減できる。また、同一信号線を使ってＬＶＤＳで双方向通信を行う場合に比べて、消費電力を低減できる。
【００６３】
無線Ｉ／Ｆ６３は、アンテナ２７に接続されている。このアンテナ２７は、画像データや制御信号等のデータをレンズユニット１２との間で送受信する。なお、無線通信手段は、前述のアンテナ１７，２７と、無線Ｉ／Ｆ４９，６３とで構成される。制御信号等のデータは、無線Ｉ／Ｆ６３によって無線送信用のデータに変換され、アンテナ２７によってレンズユニット１２に送信される。また、このアンテナ２７は、レンズユニット１２から送信された画像データや制御信号等のデータを受信する。なお、この無線Ｉ／Ｆ６３は、無線Ｉ／Ｆ４９と同様の無線ＬＡＮ（IEEE802.11b）であり、アンテナ２７は、２．４ＧＨｚの周波数帯域でデータを送受信する。
【００６４】
圧縮伸張処理部６４は、レンズユニット１２から受信した画像データに対して、圧縮処理を施す。また、この圧縮伸張処理部６４は、後述する記憶メディア７２に記憶された画像データを再生する時に、この画像データに対して伸張処理を施す。つまり、圧縮伸張処理部６４は、静止画の画像データをＪＰＥＧ圧縮及び伸張する機能と、ＭｏｔｉｏｎＪＰＥＧとしてレンズユニット１２から送られてくるスルー画データや、動画サムネイルデータをＪＰＥＧ圧縮及び伸張する機能と、動画撮影時の動画主画像データをＭＰＥＧ圧縮及び伸張する機能とを有している。
【００６５】
ＬＣＤドライバ６５には、レンズユニット１２から受信したスルー画データや、記憶メディア（第１記憶手段）７２に記憶された画像データが入力され、ＬＣＤドライバ６５は、ＬＣＤ２９にスルー画や、再生画像を表示させる。
【００６６】
メディアコントローラ６６は、レンズユニット１２から受信した画像データを記憶メディア７２に記憶したり、記憶メディア７２に記憶された画像データを読み出したりする。なお、記憶メディア７２としては、記憶メディア５２と同様に、メモリカード等の着脱自在な記憶媒体が用いられる。
【００６７】
また、ストロボ制御部６７は、ストロボ２４を制御してストロボ光を発光させる。Ｉ／Ｏポート６８は、マウント接点５９を介してレンズユニット１２との間で信号の送受信を行う。なお、記憶メディア７２は、例えば、本体ユニット１１に対して着脱自在に装填されるメモリカードである。
【００６８】
また、本体ユニット１１内には、電源制御部７５が設けられており、この電源制御部７５には、バッテリ７６、及びＤＣ／ＤＣコンバータ７７が接続されており、バッテリ７６とＤＣ／ＤＣコンバータ７７は、互いに接続されている。また、電源制御部７５には、電源操作ボタン２８が接続されている。
【００６９】
この電源制御部７５は、電源操作ボタン２８の操作によって操作信号が入力され、ＯＮ信号が入力された時に、ＤＣ／ＤＣコンバータ７７を制御することによって、バッテリ７６の電圧を所定電圧に変圧させ、本体内の各部へ電源供給させる。また、バッテリ７６は、マウント接点５９と接続されており、レンズユニット１２側に電源供給することが可能にされている。
【００７０】
また、本体制御部６０には、シャッタボタン２５と、操作部７８とが接続されている。シャッタボタン２５は、半押しされた時にシャッタ信号Ｓ１を出力し、全押しされた時にシャッタ信号Ｓ２を出力する。また、操作部７８は、前述のカーソル操作ボタン３１、メニューボタン３２、実行ボタン３３、及びキャンセルボタン３４を備えて構成されており、各操作ボタンに対応する操作信号を出力する。
【００７１】
本体制御部６０は、シャッタ信号Ｓ１，Ｓ２や、各種操作信号を取得し、各信号に対応する処理を実行する。また、シャッタボタン２５は、マウント接点５９にも接続されており、レンズユニット１２が本体ユニット１１に装着されている場合、シャッタ信号Ｓ１，Ｓ２が、マウント接点５９，１８を介して、レンズユニット１２内のユニット制御部４０に直接送信される。
【００７２】
次に、レンズユニット１２が本体ユニット１１に装着されているか否かを検出する着脱検出部について説明する。レンズユニット１２のマウント接点１８は、例えば、２４個の接点ＰＬ１〜ＰＬ２４で構成され、本体ユニット１１のマウント接点５９は、接点ＰＢ１〜ＰＢ２４で構成されている。本体ユニット１１側の各接点ＰＢ１〜ＰＢ２４は、レンズユニット１２が本体ユニット１１に装着された時に、レンズユニット１２側の各接点ＰＬ１〜ＰＬ２４と接続される。例えば、接点ＰＬ１は、接点ＰＢ１と接続され、接点ＰＬ２４は、接点ＰＢ２４と接続される。
【００７３】
前述のＩ／Ｏポート６８には、例えば、図６に示すように、接点ＰＢ２２と、接点ＰＢ２３とが接続されており、接点ＰＢ２３には、プルアップ抵抗８０が接続されている。また、レンズユニット１２側の電源制御部５３は、接点ＰＬ２２と接続されており、接点ＰＬ２３は接地されている。
【００７４】
レンズユニット１２が本体ユニット１１に装着されたことを検出する着脱検出部は、接点ＰＬ２３，ＰＢ２３と、プルアップ抵抗８０と、Ｉ／Ｏポート６８とで構成されている。レンズユニット１２が本体ユニット１１に装着されていない場合、接点ＰＢ２３の電位は、プルアップ抵抗８０によって例えば、５Ｖ程度に昇圧されており、Ｉ／Ｏポート６８には、Ｈｉ信号が入力される。また、レンズユニット１２が本体ユニット１１に装着された場合、接点ＰＢ２３は、接点ＰＬ２３と接続され、この接点ＰＬ２３は接地されているので、接点ＰＢ２３の電位は０Ｖとなり、Ｉ／Ｏポート６８にはＬｏｗ信号が入力される。
【００７５】
本体制御部６０は、Ｉ／Ｏポート６８から検出信号（Ｌｏｗ信号，Ｈｉ信号）を取得し、この検出信号に基づいて、レンズユニット１２が装着されているか否かを判断する。
【００７６】
また、レンズユニット１２が本体ユニット１１に装着された時に、Ｉ／Ｏポート６８と、レンズユニット１２側の電源制御部５３とが、接点ＰＬ２２，ＰＢ２２を介して接続される。本体制御部６０は、電源操作ボタン２８が操作されてバッテリ７６から電源供給され、レンズユニット１２が装着されたと判断された場合、Ｉ／Ｏポート６８を介して、レンズユニット１２側の電源制御部５３に対して電源制御信号を出力する。電源制御部５３は、この電源制御信号を取得した時に、電源操作部５５によってＯＮ信号が入力されていない状態でも、各部への電源供給を開始し、レンズユニット１２の電源が自動的にＯＮにされる。
【００７７】
また、本体ユニット１１側のバッテリ７６は、接点ＰＢ２１と接続されており、レンズユニット１２側のＤＣ／ＤＣコンバータ５５は、接点ＰＬ２１と接続されている。このため、レンズユニット１２が本体ユニット１１に装着された時に、電源制御部５３、及びＤＣ／ＤＣコンバータ５５は、接点ＰＬ２１，ＰＢ２１を介してバッテリ７６と接続されるので、バッテリ７６によって、電源制御部５３、及びＤＣ／ＤＣコンバータ５５に電源供給することが可能である。このため、レンズユニット１２内にバッテリ５３がセットされていない場合や、バッテリ５３の残量がない場合でも、バッテリ７６によってレンズユニット１２側を駆動することが可能である。
【００７８】
なお、本実施形態において、バッテリ５４の容量は、バッテリ７６よりも小さくされており、レンズユニット１２が本体ユニット１１に装着されている場合、レンズユニット１２は、本体ユニット１１側のバッテリ７６によって給電されて動作する。
【００７９】
次に、本体ユニット１１またはレンズユニット１２に記憶される静止画主画像ファイル８５の構成について説明する。図７に示すように、静止画主画像ファイル８５は、Ｔａｇ情報８５ａと、静止画サムネイルデータ８５ｂと、静止画主画像データ８５ｃとから構成されている。
【００８０】
Ｔａｇ情報８５ａは、例えば、メーカ名や、製品名や、撮影年月日や、静止画主画像データ８５ｃに対して個別に割り当てられたユニークＩＤ等で構成されている。ユニークＩＤは、例えば、１２８ｂｉｔの乱数で構成しても良いし、メーカ独自のコード、製品名コード、製品シリアル番号等と、撮影毎に増やされる通し番号とを組み合わせて構成しても良い。このユニークＩＤは、ユニット制御部４０または本体制御部６０のいずれかによって生成され、本体ユニット１１またはレンズユニット１２へ送信されて、主画像ファイルまたはサムネイルファイルのＴａｇ情報に格納される。
【００８１】
また、静止画サムネイルデータ８５ｂは、１６０×１２０画素であり、ＪＰＥＧ形式で圧縮処理が施されている。また、静止画主画像データ８５ｃも同様に、ＪＰＥＧ形式で圧縮処理が施されている。
【００８２】
前述の静止画主画像ファイル８５が、レンズユニット１２の記憶メディア５２に記憶されるのは、レンズユニット１２が本体ユニット１１と分離され、静止画主画像データ８５ｃの容量に対して、無線通信速度が遅い場合である。
【００８３】
次に、本体ユニット１１の記憶メディア７２に記憶される静止画サムネイルファイル８６の構造について説明する。図８に示すように、静止画サムネイルファイル８６は、Ｔａｇ情報８６ａと、静止画サムネイルデータ８６ｂとで構成されており、図７に示す静止画主画像ファイル８５と異なり、静止画主画像データが存在しない構造となっている。
【００８４】
Ｔａｇ情報８６ａは、前述の静止画主画像ファイル８５のＴａｇ情報８５ａと同様の構成であり、静止画サムネイルデータ８６ｂは、静止画サムネイルデータ８５ｂと同様に、１６０×１２０画素でＪＰＥＧ圧縮が施されている。
【００８５】
この静止画サムネイルファイル８６が、本体ユニット１１の記憶メディア７２に記憶されるのは、レンズユニット１２が本体ユニット１１と分離され、静止画主画像データの容量に対して、無線通信速度が遅い場合である。
【００８６】
次に、レンズユニット１２の記憶メディア５２に記憶される未完状態の動画主画像ファイル８７の構成について説明する。図９に示すように、動画主画像ファイル８７は、Ｔａｇ情報８７ａと、静止画サムネイルデータ８７ｂと、動画主画像データ８７ｃとで構成されている。
【００８７】
Ｔａｇ情報８７ａは、前述のＴａｇ情報８５ａ，８６ａと同様の構成である。また、この動画主画像ファイル８７は、本体ユニット１１側で、動画サムネイルデータが付加されて完成状態となる。この未完状態の動画主画像ファイル８７が、レンズユニット１２の記憶メディア５２に記憶されるのは、レンズユニット１２が本体ユニット１１と分離され、動画主画像データの容量に対して、無線通信速度が遅い場合である。
【００８８】
次に、本体ユニット１１の記憶メディア７２に記憶される動画サムネイルファイル８８の構成について説明する。図１０に示すように、動画サムネイルファイル８８は、Ｔａｇ情報８８ａと、静止画サムネイルデータ８８ｂと、動画サムネイルデータ８８ｃとで構成されている。
【００８９】
Ｔａｇ情報８８ａは、Ｔａｇ情報８７ａと同様の構成であり、リンク先として静止画サムネイルデータ８８ｂ、及び動画サムネイルデータ８８ｃに対応する動画主画像のユニークＩＤが付加されている。また、静止画サムネイルデータ８８ｂは、１６０×１２０画素であり、ＪＰＥＧ方式で圧縮処理が施されている。また、動画サムネイルデータ８８ｃは、１６０×１２０画素であり、ＭｏｔｉｏｎＪＰＥＧ方式で圧縮処理が施されている。静止画サムネイルデータ８８ｂは、動画サムネイルデータ８８ｃの先頭フレームを示しているが、より特徴的なフレームを抽出して静止画サムネイルデータとしても良い。
【００９０】
なお、この動画サムネイルファイル８８が、本体ユニット１１の記憶メディア７２に記憶されるのは、レンズユニット１２が本体ユニット１１から分離され、動画主画像データの容量に対して、無線通信速度が遅い場合である。
【００９１】
前述したように、レンズユニット１２が本体ユニット１１から分離された状態で動画撮影が実行されて、図９に示す動画主画像ファイル８７が、レンズユニット１２の記憶メディア５２に記憶され、図１０に示す動画サムネイルファイル８８が、本体ユニット１１の記憶メディア７２に記憶された後、レンズユニット１２が本体ユニット１１に装着されると、後述するように、シンクロナイゼーション処理が実行されて、本体ユニット１１の記憶メディア７２には、完成状態の動画主画像ファイル８９が記憶される。
【００９２】
この動画主画像ファイル８９は、図１１に示すように、Ｔａｇ情報８９ａと、静止画サムネイルデータ（１６０×１２０画素／ＪＰＥＧ圧縮）と、動画サムネイル（１６０×１２０画素／ＭｏｔｉｏｎＪＰＥＧ圧縮）と、動画主画像（ＭＰＥＧ圧縮）とで構成されている。なお、レンズユニット１２が本体ユニット１１に装着された状態で動画が撮影された場合、図９及び図１０に示すファイル８７，８８が作成されることなく、動画主画像ファイル８９が直接生成され、本体ユニット１１の記憶メディア７２に記憶される。
【００９３】
また、レンズユニット１２を本体ユニット１１から分離した状態で動画を撮影した場合、動画主画像ファイルのユニークＩＤは、図９及び図１０に示すファイル８７，８８のユニークＩＤが継承される。
【００９４】
次に、リモート撮影を行う場合において、主画像データを本体ユニット１１へ転送するのに必要なデータレートについて説明する。このデータレートは、動画の画素数、静止画の画素数、及び記憶モード（静止画撮影時のみ）毎に異なり、下表１に示す通りである。なお、設定可能な画素数等は、図４に示す通りであり、静止画はＪＰＥＧ圧縮後、動画は、ＭＰＥＧ圧縮後のデータレートを示している。
【００９５】
【表１】
2007129433.tif 000003
【００９６】
上記表１に示すデータレートと、無線通信Ｉ／Ｆ４９，６３の実効転送レートとを比較して、主画像データを送信可能であれば、レンズユニット１２から本体ユニット１１に転送し、不可能であればサムネイルデータを生成して、無線通信によって、このサムネイルデータを本体ユニット１１に送信する。
【００９７】
なお、静止画主画像データを転送する際に必要なデータレートは、静止画主画像を０．２秒以内で転送する速度を示している。この理由は、本実施形態において、ＣＣＤ１６は最速０．２秒で読み出しが可能であり、連写を行う場合には、静止画主画像データの転送を０．２秒以内で完了しないと連写性能を低下させるからである。
【００９８】
次に、本体ユニット１１の記憶メディア７２の画像記憶構造について説明する。図１２に示すように、本体ユニット１１の記憶メディア７２には、Ｒｏｏｔ（ルートディレクトリ）を根幹として、フォルダ「ＤＣＩＭ」が作成されており、このフォルダ「ＤＣＩＭ」内には、フォルダ「１００ＡＢＣＤ」が作成されている。
【００９９】
このフォルダ「１００ＡＢＣＤ」には、静止画主画像ファイル及び動画主画像ファイルのみが、連番のファイル番号（ファイル名の下４桁の数字）が付加されて格納されている。また、静止画主画像ファイルの拡張子は、「ＪＰＧ」、動画主画像ファイルの拡張子は、「ＭＰＥＧ」にされている。
【０１００】
また、本体ユニット１１の記憶メディア７２が、図１２に示す記憶構造にされている時に、静止画主画像データ、及び動画主画像データともに無線通信で送信できないデータレートの画素数（記憶モード）に設定して、静止画２コマ、動画１シーンをリモート撮影した場合、図１３に示す記憶構造となる。
【０１０１】
図１３に示すように、連番のファイル名で静止画サムネイルファイル×２（DSCF009.STH,DSCF010.STH）と、動画サムネイルファイル（DSCF011.MTH）とが記憶される。この時、静止画サムネイルファイルの拡張子は、「ＳＴＨ」にされており、動画サムネイルファイルの拡張子は、「ＭＴＨ」にされているため、その他の主画像ファイルと区別し易い。
【０１０２】
本体ユニット１１の記憶メディア７２の記憶構造が図１３に示す状態となった時に、レンズユニット１２側の記憶メディア５２の記憶構造は、図１４に示すように、図１３における静止画サムネイルファイル×２（「DSCF009.STH」,「DSCF010.STH」）に対応する静止画主画像ファイル（「DSCF009.JPG」,「DSCF010.JPG」）と、動画サムネイルファイル（「DSCF011.MTH」）に対応する未完状態の動画主画像ファイル（「DSCF011.MPG」）が同じファイル名で記憶される。
【０１０３】
本体ユニット１１側の記憶メディア７２が、図１３に示す記憶構造にされ、レンズユニット１２側の記憶メディア５２が、図１４に示す記憶構造にされている時に、レンズユニット１２が本体ユニット１１に装着されると、後述するように、シンクロナイゼーション処理が実行される。このシンクロナイゼーション処理が実行されると、本体ユニット１１側の記憶メディア７２の記憶構造は、図１５に示すように、静止画サムネイルファイル×２（「DSCF009.STH」,「DSCF010.STH」）、及び動画サムネイルファイル（「DSCF011.MTH」）が、それぞれ対応する主画像ファイル（「DSCF009.JPG」,「DSCF010.JPG」，「DSCF011.MPG」）に各々置き換えられる。
【０１０４】
次に、本発明のデジタルカメラ１０の作用を説明する。最初に、初期化情報生成処理について、図１６及び図１７のフローチャートを用いて説明する。この初期化情報生成処理は、レンズユニット１２から本体ユニット１１に対して、主画像データまたはサムネイルデータのどちらを送信するかの決定と、レンズユニット１２から本体ユニット１１に対して送信するスルー画の画素数や、スルー画のモード（ＹＣ非圧縮 or ＭｏｔｉｏｎＪＰＥＧ圧縮）の決定を行う処理である。
【０１０５】
最初に、本体側制御部６０は、撮影モードの設定を取得する。すなわち、動画撮影モード、または静止画撮影モードのどちらに設定されているかの情報を取得する。その後、ＳＥＴＵＰモードでの設定内容を取得する。
【０１０６】
その後、本体側制御部６０は、レンズユニット１２が本体ユニット１１に装着されているか否かを判定する。レンズユニット１２が本体ユニット１１に装着されていると判定された場合、本体制御部６０は、レンズユニット１２から本体ユニット１１への画像データの通信路をシリアルドライバ４８，６２に設定する。
【０１０７】
また、本体制御部６０は、スルー画データを６４０×４８０／ＹＣ非圧縮に設定するとともに、レンズユニット１２から本体ユニット１１に転送する画像データを主画像データに設定する。また、この時、本体制御部６０は、レンズユニット１２への画像記憶をＯＦＦに設定して、初期化情報生成処理を終了する。
【０１０８】
次に、レンズユニット１２が本体ユニット１１に装着されていないと判定された場合について説明する。この場合、本体制御部６０は、レンズユニット１２から本体ユニット１１への画像データの通信路を無線通信（８０２．１１ｂ）に設定する。
【０１０９】
また、本体制御部６０は、スルー画を１６０×１２０／ＭｏｔｉｏｎＪＰＥＧ圧縮に設定し、現在の設定から必要なデータレートＡを取得する。このデータレートＡは、撮影モード、画素数、及び記憶モードに基づいて、前述の表１に示すテーブルによって決定する。
【０１１０】
さらに、無線通信（８０２．１１ｂ）は、状況によって１１Ｍｂｐｓ、５．５Ｍｂｐｓ，２Ｍｂｐｓ，１Ｍｂｐｓと変化するので、本体制御部６０は、現在の無線通信の速度モードＢを取得する。
【０１１１】
本体制御部６０は、無線通信の速度モードＢから実際のデータレート（実効転送レート）Ｃを算出する。具体的には、前述の表１に示すデータレートが必要であるが、実際には、無線通信Ｉ／Ｆ４９，６３において画像データの送信以外に制御信号の送受信を行う必要があるため、無線通信（８０２．１１ｂ）の通信速度に対し、例えば、４倍の安全率を見込んで、実際のデータレートＣ（＝Ｂ／４）を算出する。
【０１１２】
次に、本体制御部６０は、データレートＡが、実際のデータレートＣ以下であるか否かを判定する。データレートＡが、データレートＣ以下であると判定された場合、本体制御部６０は、撮影モードが静止画撮影モードに設定されているか否かを判定する。
【０１１３】
静止画撮影モードであると判定された場合、本体制御部６０は、本体ユニット１１に転送する画像を主画像データ（ＪＰＥＧ圧縮）に設定し、さらに、レンズユニット１１への画像記憶をＯＦＦに設定して、初期化情報生成処理を終了する。
【０１１４】
また、静止画撮影モードでない、すなわち動画撮影モードであると判定された場合、本体ユニット１１に転送する画像データを主画像データ（ＭＰＥＧ圧縮）に設定し、さらに、静止画撮影モードの場合と同様に、レンズユニット１１への画像記憶をＯＦＦに設定して、初期化情報生成処理を終了する。
【０１１５】
データレートＡがデータレートＣ以下ではない、すなわち、データレートＡが、データレートＣよりも大きいと判定された場合、本体制御部６０は、撮影モードが静止画撮影モードに設定されているか否かを判定する。
【０１１６】
静止画撮影モードに設定されていると判定された場合、本体制御部６０は、本体ユニット１１に転送する画像をサムネイルデータ（ＪＰＥＧ圧縮）に設定し、さらに、レンズユニット１２への画像記憶をＯＮに設定して、初期化情報生成処理を終了する。
【０１１７】
静止画撮影モードに設定されていない、すなわち、動画撮影モードに設定されていると判定された場合、本体制御部６０は、本体ユニット１１に転送する画像をサムネイルデータ（ＭＰＥＧ圧縮）に設定し、さらに、レンズユニット１２への画像記憶をＯＮに設定して、初期化情報生成処理を終了する。
【０１１８】
なお、この初期化情報生成処理は、電源投入後の初期化時や、撮影モードにおけるレンズユニット１２の装着時、あるいは、他のモードから撮影モードに設定された場合や、撮影モードに設定されている時にレンズユニット１２が本体ユニット１１に装着または分離された場合等に実行される。
【０１１９】
次に、静止画撮影モードにおいて、レンズユニット１２が本体ユニット１１から分離されている場合の撮影処理について、図１８及び図１９のフローチャートを用いて説明する。
【０１２０】
最初にレンズユニット１２側の処理について説明する。電源操作部５５によってレンズユニット１２の電源がＯＮにされると、ユニット制御部４０は、本体ユニット１１から無線通信（８０２．１１ｂ）によって接続要求があるか否かを判定する。接続要求がないと判定された場合、接続要求があるまで待機状態となる。
【０１２１】
また、本体ユニット１１から接続要求があったと判定された場合、接続要求に対する応答信号を無線通信（８０２．１１ｂ）によって送信する。その後、ユニット制御部６０は、本体ユニット１１から初期化要求があるか否か、すなわち、初期化要求コマンドを受信したか否かを判定する。初期化要求がないと判定された場合、初期化要求があるまで待機状態となる。
【０１２２】
本体ユニット１１から初期化要求があったと判定された場合、無線通信（８０２．１１ｂ）によって、本体ユニット１１側から受信した初期化要求コマンドに基づいて初期化処理を実行する。この初期化要求コマンドは、前述の初期化情報生成処理によって決定された設定内容に対応するコマンドである。
【０１２３】
初期化終了後、本体ユニット１１からのコマンド待ち状態となり、ユニット制御部４０は、本体ユニット１１からスルー画要求があるか否かを判定する。スルー画要求がないと判定された場合、スルー画要求があるまで待機状態となる。
【０１２４】
スルー画要求があったと判定された場合、ユニット制御部４０は、各部を制御して、ＣＣＤ１６に対する露光や、ＣＣＤ１６によって撮像された画像のリサイズや、各種画像処理や、ＪＰＥＧ圧縮処理等を施す。その後、無線通信（８０２．１１ｂ）によって、スルー画を本体ユニット１１に送信する。なお、このスルー画は、各コマ毎にＪＰＥＧ圧縮が施されたＭｏｔｉｏｎＪＰＥＧとして、レンズユニット１２から本体ユニット１１に送信される。
【０１２５】
その後、ユニット制御部４０は、シャッタ信号Ｓ１を取得したか否かを判定する。シャッタ信号Ｓ１を取得していないと判定された場合、シャッタ信号Ｓ１を取得するまで待機状態となる。
【０１２６】
シャッタ信号Ｓ１を取得したと判定された場合、ユニット制御部４０は、ＡＥ／ＡＦ検出部４５によって検出されたＡＥ検出値及びＡＦ検出値に基づいて各部を制御し、ＡＥ処理及びＡＦ処理を実行し、ＡＥ／ＡＦ処理の完了を示す信号を本体ユニット１１に送信する。
【０１２７】
その後、ユニット制御部４０は、本体ユニット１１からスルー画要求を取得すると、各部を制御して、ＣＣＤ１６に対する露光や、ＣＣＤ１６によって撮像された画像のリサイズや、各種画像処理や、ＪＰＥＧ圧縮処理等を施して、無線通信（８０２．１１ｂ）によって、スルー画を本体ユニット１１に送信する。
【０１２８】
その後、ユニット制御部４０は、シャッタ信号Ｓ２を取得したか否かを判定する。シャッタ信号Ｓ２を取得していないと判定された場合、シャッタ信号Ｓ２を取得するまで待機状態となる。
【０１２９】
また、シャッタ信号Ｓ２を取得したと判定された場合、ユニット制御部４０は、各部を制御して、ＣＣＤ１６に対して本露光を行わせるとともに、ＣＣＤ１６によって撮像された画像に対してＪＰＥＧ圧縮処理を施して、主画像データを生成する。さらに、ユニット制御部４０は、この主画像データに対してユニークＩＤを発番して、このユニークＩＤを主画像データに付加する。
【０１３０】
また、ユニット制御部４０は、各部を制御することにより、ＪＰＥＧ圧縮を施したサムネイル画像を生成し、前述のユニークＩＤを付加する。その後、ユニット制御部４０が、無線Ｉ／Ｆ４９を制御して、無線通信（８０２．１１ｂ）によって、このサムネイルデータを本体ユニット１１に送信する。その後、本体ユニット１１からフォルダ名・ファイル名を無線通信によって受信した後、主画像にフォルダ名・ファイル名が付与され、図７に示す静止画主画像ファイル８５が生成された後、ユニット制御部４０は、メディアコントローラ６６を制御して、この静止画主画像ファイル８５を記憶メディア７２に記憶させる。
【０１３１】
静止画主画像ファイル８５の記憶後、ユニット制御部４０は、無線Ｉ／Ｆ４９を制御して、主画像記憶が完了したことを示す信号を本体ユニット１１に送信して、記憶処理を終了する。
【０１３２】
次に、本体ユニット１１の作用を説明する。電源操作ボタン２８が操作されて、本体ユニット１１の電源がＯＮにされた後、静止画撮影モードに設定されると、本体制御部６０は、無線Ｉ／Ｆ６３を制御し、無線通信（８０２．１１ｂ）によって、レンズユニット１２に対して接続要求を送信する。
【０１３３】
その後、本体制御部６０は、接続応答があるか否かを判定する。接続応答がないと判定された場合、接続応答を受信するまで待機状態となる。また、接続応答があると判定された場合、前述の初期化情報生成処理を実行して、初期化情報を生成する。
【０１３４】
本体制御部６０は、無線Ｉ／Ｆ６３を制御することによって、この初期化情報に対応する初期化要求コマンドをレンズユニット１１に送信し、レンズユニット１２から初期化完了を示す信号を受信した時に初期化完了を確認する。
【０１３５】
初期化完了を確認した後、本体制御部６０は、無線Ｉ／Ｆ６３を制御して、レンズユニット１２に対してスルー画を要求する信号を送信する。その後、本体制御部６０は、本体ユニット１１内の各部を制御し、スルー画データを受信するとともに、このスルー画データに対して伸張処理を施して、ＬＣＤ２９にスルー画を表示する。
【０１３６】
その後、本体制御部６０は、シャッタボタン２５が半押しされたか否かを判定する。シャッタボタン２５が半押しされていないと判定された場合、シャッタボタン２５が半押しされるまで待機状態となる。
【０１３７】
また、シャッタボタン２５が半押しされたと判定された場合、本体制御部６０は、無線Ｉ／Ｆ６３を制御して、シャッタ信号Ｓ１をレンズユニット１２に送信する。その後、本体制御部６０は、撮影準備が完了したか否かを判定する。この判定は、レンズユニット１２からＡＥ／ＡＦ処理が終了したことを示す信号を受信したか否かに基づいて行われる。
【０１３８】
撮影準備が完了していないと判定された場合、撮影準備が完了するまで待機状態となる。また、撮影準備が完了したと判定された場合、本体制御部６０は、無線Ｉ／Ｆ６３を制御して、スルー画データを要求する信号をレンズユニット１２に送信する。
【０１３９】
その後、スルー画データが受信された時に、本体制御部６０は、本体ユニット１１内の各部を制御して、受信したスルー画に対して伸張処理を施して、スルー画をＬＣＤ２９に表示する。その後、本体制御部６０は、シャッタボタン２５が全押しされたか否かを判定する。シャッタボタン２５が全押しされていないと判定された場合、シャッタボタン２５が全押しされるまで待機状態となる。
【０１４０】
また、シャッタボタン２５が全押しされたと判定された場合、本体制御部６０は、無線Ｉ／Ｆ６３を制御して、シャッタ信号Ｓ２をレンズユニット１２に無線送信する。その後、本体制御部６０は、サムネイルデータを受信したか否かを判定する。サムネイルデータが受信されていないと判定された場合、サムネイルデータを受信するまで待機状態となる。
【０１４１】
サムネイルデータを受信したと判定された場合、本体制御部６０は、ＬＣＤドライバ６５を制御して、受信画像をＬＣＤ２９に表示させる。このサムネイルデータには、レンズユニット１２側でユニークＩＤが付加されており、本体制御部６０は、サムネイルデータにファイル名を付けて、図８に示す静止画サムネイルファイル８６を生成して、記憶メディア７２の所定のフォルダに記憶する。
【０１４２】
その後、本体制御部６０は、無線Ｉ／Ｆ６３を制御して、静止画サムネイルファイル８６のフォルダ名及びファイル名をレンズユニット１２へ無線送信し、主画像データの記憶処理が完了したか否かを判定する。この判定は、レンズユニット１２から主画像記憶の完了を示す信号を取得したか否かに基づいて行われる。
【０１４３】
記憶が完了していないと判定された場合、記憶が完了するまで待機状態となる。また、記憶が完了したと判定された場合、本体制御部６０は、電源がＯＦＦにされたか否かを判定する。
【０１４４】
電源がＯＦＦにされていないと判定された場合、初期化完了確認後に行うスルー画要求処理に戻る。また、電源がＯＦＦにされたと判定された場合、処理を終了する。
【０１４５】
前述したように、本体ユニット１１側に記憶した静止画サムネイルファイル８６のファイル名が、レンズユニット１２に送信され、レンズユニット１２側に記憶される静止画主画像ファイル８５にも同様のファイル名が付与されるので、静止画サムネイルファイル８６と静止画主画像ファイル８５との対応が、ファイル名を見るだけで判断することができる。
【０１４６】
次に、静止画撮影モードにおいて、レンズユニット１２が本体ユニット１１から分離されているが、主画像データを送信するために必要なデータレートＡが、実効データレートＣ以下であり、撮影直後にレンズユニット１２から本体ユニット１１に主画像データを転送することが可能な場合の撮影処理について、図２０のフローチャートを用いて説明する。
【０１４７】
なお、シャッタボタン２５が全押しされるまでの処理は、図１８及び図１９に示すフローチャートと同様であるので、シャッタボタン２５が全押しされてからのレンズユニット１２及び本体ユニット１１の処理についてのみ説明する。
【０１４８】
最初に、レンズユニット１２側の処理について説明する。ユニット制御部４０は、シャッタ信号Ｓ２を取得したか否かを判定する。シャッタ信号Ｓ２を取得していないと判定された場合、シャッタ信号Ｓ２を取得するまで待機状態となる。
【０１４９】
シャッタ信号Ｓ２を取得したと判定された場合、ユニット制御部４０は、各部を制御してＣＣＤ１６に本露光させ、このＣＣＤ１６によって得られた画像データに対してＪＰＥＧ圧縮処理等を施して主画像データを生成する。
【０１５０】
その後、ユニット制御部４０は、無線Ｉ／Ｆ６３を制御して、本体ユニット１１に主画像データを送信する。その後、主画像データの送信が完了した時点で、ユニット制御部４０は、無線Ｉ／Ｆ６３を制御して、主画像データの送信完了を示す信号を本体ユニット１１に無線送信して処理を終了する。
【０１５１】
次に、本体ユニット１１側の処理について説明する。本体制御部６０は、シャッタボタン２５が全押しされたか否かを判定する。シャッタボタン２５が全押しされていないと判定された場合、シャッタボタン２５が全押しされるまで待機状態となる。
【０１５２】
シャッタボタン２５が全押しされたと判定された場合、本体制御部６０は、無線Ｉ／Ｆ６３を制御して、レンズユニット１２にシャッタ信号Ｓ２を無線送信する。その後、本体制御部６０は、主画像データを受信したか否かを判定し、主画像データを受信していないと判定された場合には、主画像データを受信するまで待機状態となる。
【０１５３】
また、主画像データを受信したと判定された場合、本体制御部６０は、本体ユニット１１内の各部を制御して、主画像データに対して伸張処理を施してＬＣＤ２９に表示する。その後、本体制御部６０は、メディアコントローラ６６を制御して、主画像データにファイル名を付加した静止画主画像ファイル８５を記憶メディア７２に記憶する。
【０１５４】
その後、静止画主画像ファイル８５の記憶が完了したか否かを判定する。この判定は、主画像の送信完了を示す信号をレンズユニット１２から取得したか否かによって行われる。
【０１５５】
記憶が完了していないと判定された場合、静止画主画像ファイル８５の記憶が完了するまで待機状態となる。記憶が完了したと判定された場合、本体制御部６０は、本体ユニット１１の電源がＯＦＦにされたか否かを判定する。
【０１５６】
本体ユニット１１の電源がＯＦＦにされていないと判定された場合、初期化完了確認後にレンズユニット１２に対してスルー画要求を行う処理に戻る。また、本体ユニット１１の電源がＯＦＦにされたと判定された場合、処理を終了する。
【０１５７】
前述したように、スルー画データの送信は、図１８，１９に示すフローチャートと同様であるが、レンズユニット１２側の記憶メディア５２には画像データを記憶しないため、シャッタボタン２５が全押しされた後、ファイル名やフォルダ名をレンズユニット１２に無線送信する必要がない。
【０１５８】
次に、静止画撮影モードにおいて、レンズユニット１２を本体ユニット１１に装着した状態での撮影処理について、図２１及び図２２のフローチャートを用いて説明する。最初に、レンズユニット１２側の処理について説明する。
【０１５９】
レンズユニット１２は、本体ユニット１１の電源がＯＮにされた時に、自動的に電源がＯＮにされる。ユニット制御部４０は、無線通信（８０２．１１ｂ）によって、本体ユニット１１から接続要求があるか否かを判定する。接続要求がないと判定された場合、接続要求があるまで待機状態となる。
【０１６０】
また、本体ユニット１１から接続要求があったと判定された場合、接続要求に対する応答を無線通信（８０２．１１ｂ）によって送信する。その後、ユニット制御部４０は、本体ユニット１１から初期化要求があるか否かを判定する。初期化要求がない場合、初期化要求があるまで待機状態となる。
【０１６１】
本体ユニット１１から初期化要求があったと判定された場合、本体ユニット１１側から受信した初期化要求コマンドに基づいて初期化処理を実行する。その後、コマンド待ち状態となる。
【０１６２】
その後、ユニット制御部４０は、本体ユニット１１からスルー画要求があるか否かを判定する。スルー画要求がないと判定された場合、スルー画要求があるまで待機状態となる。
【０１６３】
スルー画要求があったと判定された場合、ユニット制御部４０は、レンズユニット１１内の各部を制御して、ＣＣＤ１６に対する露光や、ＣＣＤ１６によって撮像された画像のリサイズや、各種画像処理等を施す。その後、シリアルドライバ６２によって、スルー画データを本体ユニット１１に送信する。
【０１６４】
その後、ユニット制御部４０は、シャッタ信号Ｓ１を取得したか否かを判定する。なお、シャッタ信号Ｓ１は、専用の信号線によって、本体ユニット１１からユニット制御部４０に直接送信される。シャッタ信号Ｓ１を取得していないと判定された場合、シャッタ信号Ｓ１を取得するまで待機状態となる。
【０１６５】
また、シャッタ信号Ｓ１を取得したと判定された場合、ユニット制御部４０は、ＡＥ／ＡＦ検出部４６によって検出されたＡＥ検出値及びＡＦ検出値に基づいて各部を制御し、ＡＥ処理及びＡＦ処理を実行し、無線通信（８０２．１１ｂ）によって、ＡＥ／ＡＦ処理の完了を示す信号を本体ユニット１１に送信する。
【０１６６】
ユニット制御部４０は、本体ユニット１１からスルー画要求を取得すると、各部を制御して、ＣＣＤ１６に対する露光や、ＣＣＤ１６によって撮像された画像のリサイズや、各種画像処理等を施して、シリアルドライバ４８によって、スルー画データを本体ユニット１１に送信する。
【０１６７】
その後、ユニット制御部４０は、シャッタ信号Ｓ２を取得したか否かを判定する。なお、このシャッタ信号Ｓ２は、前述のシャッタ信号Ｓ１と同様に、専用の信号線によって、本体ユニット１１からユニット制御部４０に直接送信される。シャッタ信号Ｓ２を取得していないと判定された場合、シャッタ信号Ｓ２を取得するまで待機状態となる。
【０１６８】
また、シャッタ信号Ｓ２を取得したと判定された場合、ユニット制御部４０は、各部を制御して、ＣＣＤ１６に本露光を行わせるとともに、ＣＣＤ１６によって撮像された画像データに対して各種画像処理を施して、主画像データ（ＹＣ信号）を取得する。その後、ユニット制御部４０は、シリアルドライバ４８によって、主画像データ（ＹＣ信号／非圧縮）を本体ユニット１１に送信する。その後、主画像の送信が完了した時に、無線通信（８０２．１１ｂ）によって、送信が完了したことを示す信号を本体ユニット１１に送信して処理を終了する。
【０１６９】
次に、本体ユニット１１の作用を説明する。電源操作ボタン２８が操作されて、本体ユニット１１の電源がＯＮにされた後、静止画撮影モードに設定されると、本体制御部６０は、無線Ｉ／Ｆ６３を制御し、無線通信（８０２．１１ｂ）によって、レンズユニット１２に対して接続要求を送信する。
【０１７０】
その後、本体制御部６０は、接続応答があるか否かを判定する。接続応答がないと判定された場合、接続応答を受信するまで待機状態となる。また、接続応答があると判定された場合、前述の初期化情報生成処理を行う。
【０１７１】
本体制御部６０は、この初期化情報に基づいて、初期化要求コマンドを無線通信（８０２．１１ｂ）によってレンズユニット１１に送信し、レンズユニット１２から初期化完了を示す信号を受信した時に初期化完了を確認する。
【０１７２】
その後、本体制御部６０は、無線Ｉ／Ｆ６３を制御して、レンズユニット１２に対してスルー画を要求する信号を送信する。本体制御部６０は、シリアルドライバ６２を制御し、スルー画データを受信するとともに、ＬＣＤ２９にスルー画を表示する。
【０１７３】
その後、本体制御部６０は、シャッタボタン２５が半押しされたか否かを判定する。シャッタボタン２５が半押しされていないと判定された場合、シャッタボタン２５が半押しされるまで待機状態となる。
【０１７４】
また、シャッタボタン２５が半押しされたと判定された場合、本体制御部６０は、専用の信号線によって、シャッタ信号Ｓ１をレンズユニット１２に送信する。その後、本体制御部６０は、撮影準備が完了したか否かを判定する。この判定は、レンズユニット１２からＡＥ／ＡＦ処理が終了したことを示す信号を受信したか否かに基づいて行われる。
【０１７５】
撮影準備が完了していないと判定された場合、撮影準備が完了するまで待機状態となる。また、撮影準備が完了したと判定された場合、本体制御部６０は、無線Ｉ／Ｆ６３を制御して、スルー画を要求する信号をレンズユニット１２に送信する。
【０１７６】
本体制御部６０は、シリアルドライバ（ＬＶＤＳ）６２によってスルー画を受信すると、ＬＣＤドライバ６５を制御して、スルー画をＬＣＤ２９に表示させる。その後、本体制御部６０は、シャッタボタン２５が全押しされたか否かを判定する。シャッタボタン２５が全押しされていないと判定された場合、シャッタボタン２５が全押しされるまで待機状態となる。
【０１７７】
また、シャッタボタン２５が全押しされたと判定された場合、シャッタ信号Ｓ２が、専用の信号線によって、レンズユニット１２に送信される。その後、本体制御部６０は、シリアルドラバ６２によって主画像データが受信されたか否かを判定する。主画像データが受信されていないと判定された場合、主画像データを受信するまで待機状態となる。
【０１７８】
シリアルドライバ６２によって主画像データが受信されたと判定された場合、本体制御部６０は、各部を制御することにより、受信した主画像をＬＣＤ２９に表示させるとともに、ＪＰＥＧ圧縮を施した後、この主画像データに対してファイル名を付加して、本体ユニット１１の記憶メディア７２に静止画主画像ファイル８５を記憶する。
【０１７９】
その後、本体制御部６０は、記憶メディア７２への静止画主画像ファイル８５の記憶が完了したか否かを判定する。この判定は、レンズユニット１２から主画像の送信完了を示す信号を取得したか否かに基づいて行われる。
【０１８０】
記憶が完了していないと判定された場合、記憶が完了するまで待機状態となる。また、記憶が完了したと判定された場合、本体制御部６０は、本体ユニット１１の電源がＯＦＦにされたか否かを判定する。
【０１８１】
本体ユニット１１の電源がＯＦＦにされていないと判定された場合、初期化完了確認後に、レンズユニット１２に対してスルー画要求を行う処理に戻る。また、本体ユニット１１の電源がＯＦＦにされたと判定された場合、処理を終了する。
【０１８２】
前述したように、レンズユニット１２と本体ユニット１１は、無線通信（８０２．１１ｂ）で制御信号を送受信し、シリアルドライバ４８，６２によって、レンズユニット１２から本体ユニット１１へ画像データを高速で転送する。
【０１８３】
つまり、レンズユニット１２では、ＣＣＤ１６によって撮像された画像データに対してＹＣ変換処理まで施した後、ＹＣ信号を本体ユニット１１に転送し、本体ユニット１１にてＪＰＥＧ圧縮が施される。このように、各種処理をレンズユニット１２と本体ユニット１１とに分散させることによって、発熱を分散させることができる。
【０１８４】
なお、上記撮影処理の説明において、静止画撮影時の撮影処理を例に説明したが、動画撮影時も同様の処理を行うので、詳しい説明を省略する。
【０１８５】
次に、シンクロナイゼーションの処理について図２３及び図２４のフローチャートを用いて説明する。最初に、レンズユニット１２側の処理を説明する。レンズユニット１２は、コマンド待ち状態において、本体ユニット１１から主画像ファイルの要求を取得すると、ユニット制御部４０は、ユニークＩＤが一致する主画像ファイルをサーチする。
【０１８６】
その後、ユニット制御部４０は、ユニークＩＤが一致する主画像ファイルがあるか否かを判定する。ユニークＩＤが一致する主画像ファイルがあると判定された場合、ユニークＩＤに対応する主画像ファイルを送信して、処理を終了する。
【０１８７】
また、ユニークＩＤが一致する主画像ファイルがないと判定された場合、ユニークＩＤに対応する主画像ファイルがないことを示すエラー信号を本体ユニット１１に対して送信して、処理を終了する。
【０１８８】
次に、本体ユニット１１側の作用を説明する。本体制御部６０は、レンズユニット１２が本体ユニット１１に装着されているか否かを判定する。レンズユニット１２が装着されていないと判定された場合、レンズユニット１２が装着されるまで待機状態となる。
【０１８９】
また、レンズユニット１２が装着されていると判定された場合、本体ユニット１１の記憶メディア７２の画像ファイルのファイル名をＦＡＴ（File Allocation Table）の先頭から１つ取得する。なお、ＦＡＴとは、記憶メディア５２のどの場所に画像ファイルが保管されているか記憶、管理している表である。
【０１９０】
その後、本体制御部６０は、この画像ファイルの拡張子が「ＳＴＨ」であるか否かを判定する。画像ファイルの拡張子が「ＳＴＨ」でないと判定された場合、画像ファイルの拡張子が「ＭＴＨ」であるか否かを判定する処理に進む。
【０１９１】
画像ファイルの拡張子が「ＳＴＨ」であると判定された場合、この画像ファイルのＴａｇ情報を読み込み、リンク情報であるユニークＩＤを取得する。その後、本体制御部６０は、無線Ｉ／Ｆ６３を制御して、レンズユニット１２に対して、ユニークＩＤに対応する主画像ファイルの取得要求を送信する。
【０１９２】
その後、本体制御部６０は、レンズユニット１２から無線通信で受信した信号が、静止画主画像ファイルであるか否かを判定する。受信した信号が静止画主画像ファイルでない、すなわち、エラー信号を取得したと判定された場合、画像ファイルの拡張子が「ＭＴＨ」であるか否かを判定する処理に進む。
【０１９３】
受信した信号が静止画主画像ファイル８５であると判定された場合、静止画サムネイルファイル８６を静止画主画像ファイル８５に置き換える。その後、本体制御部６０は、画像ファイルの拡張子が「ＭＴＨ」であるか否かを判定する。画像ファイルの拡張子が「ＭＴＨ」ではないと判定された場合、記憶メディア７２に次の画像ファイルがあるか否かを判定する処理に進む。
【０１９４】
また、画像ファイルの拡張子が「ＭＴＨ」であると判定された場合、このファイルのＴａｇ情報を読み込み、リンク情報であるユニークＩＤを取得する。その後、本体制御部６０は、無線Ｉ／Ｆ６３を制御して、ユニークＩＤに対応する主画像ファイルの取得要求をレンズユニット１２に対して送信する。
【０１９５】
その後、本体制御部６０は、レンズユニット１２から無線通信で受信した信号が、未完状態の動画主画像ファイル８７であるか否かを判定する。受信した信号が動画主画像ファイル８７でない、すなわち、エラー信号であると判定された場合、記憶メディア７２に次の画像ファイルがあるか否かを判定する処理に進む。
【０１９６】
受信した信号が動画主画像ファイル８７であると判定された場合、この動画主画像ファイル８７に対して、動画サムネイルファイル８８に格納されている動画サムネイルデータ８８ｃを追加することによって、完成状態の動画主画像ファイル８９を生成し、動画サムネイルファイル８８と置き換える。このため、レンズユニット１２では、動画サムネイルデータ８８ｃを生成することなく、効率的に完成状態の動画主画像ファイル８９を生成することが可能である。
【０１９７】
その後、本体制御部６０は、記憶メディア７２に次の画像ファイルがあるか否かを判定する。次の画像ファイルがあると判定された場合、次の画像ファイル名を１つ取得し、この画像ファイルの拡張子が「ＳＴＨ」であるか否かを判定する処理に戻る。また、記憶メディア７２に次の画像ファイルがないと判定された場合、シンクロナイゼーションの処理を終了する。
【０１９８】
なお、上記シンクロナイゼーション処理は、レンズユニット１２が本体ユニット１１から分離された状態から、レンズユニット１２が装着された時に行われるように説明したが、これに限るものではなく、本体ユニット１１の電源がＯＮにされた時に、撮影モードに設定されているか否かに関わらず実行しても良い。
【０１９９】
次に、第２の実施形態であるデジタルカメラ１００について説明する。図２５に示すように、デジタルカメラ１００は、本体ユニット１０１と、この本体ユニット１０１に着脱自在に装着されるレンズユニット１０２とで構成されている。デジタルカメラ１０では、近接通信手段として、接点を介してデータを転送する高速シリアル通信手段を用いたが、デジタルカメラ１００は、高速シリアル通信手段の代わりに、近距離光通信手段である赤外線通信手段を用いる。
【０２００】
このデジタルカメラ１００は、第１の実施形態であるデジタルカメラ１０と異なり、本体ユニット１０１のマウント蓋２２の表面には、レンズ１０３が設けられており、このレンズ１０３の背後には、赤外線受光素子（図２６参照）１０４が設けられている。また、レンズユニット１０２のマウント部１５の背面には、赤外線発光素子（図２６参照）１０５と、この赤外線発光素子から発光された赤外線を集光するレンズ（図２６参照）１０６とが設けられている。
【０２０１】
次に、デジタルカメラ１００の電気的構成を説明する。図２６に示すように、レンズユニット１０２は、レンズユニット１２と異なり、シリアルドライバ４８の代わりに、赤外送信Ｉ／Ｆ１１０が設けられており、この赤外送信Ｉ／Ｆ１１０が、データバス４１に接続されている。
【０２０２】
また、赤外送信Ｉ／Ｆ１１０には、赤外発光素子１０５が接続されており、赤外送信Ｉ／Ｆ１１０によって制御されて赤外レーザ光を発光する。この赤外発光素子１０５としては、例えば、面発光レーザであるＶＣＳＥＬ（Vertical Cavity Surface Emitting Laser）が用いられる。ＣＣＤ１６によって撮像された画像データは、赤外送信Ｉ／Ｆ１１０を介して赤外発光素子１０５により、本体ユニット１０１に向けて赤外レーザ光で送信される。また、赤外発光素子１０５の前面には、レンズ１０６が設けられており、このレンズ１０６によってレーザ光が集光され、本体ユニット１０１に向けて効率良く放射される。
【０２０３】
本体ユニット１０１も、本体ユニット１１と異なり、シリアルドライバ６２の代わりに、赤外受信Ｉ／Ｆ１１１が設けられており、この赤外受信Ｉ／Ｆ１１１がデータバス６１に接続されている。この赤外受信Ｉ／Ｆ１１１には、赤外受光素子１０４が接続されている。この赤外受光素子１０４としては、例えば、ＧａＡｓピンフォトダイオード等が用いられる。また、この赤外受光素子１０４の前面には、赤外レーザ光を集光するレンズ１０３が設けられている。
【０２０４】
また、レンズユニット１０２は、前述のレンズユニット１２とは異なり、メディアコントローラ５１が設けられていないので、記憶メディア５２に画像を記憶することができない。このため、レンズユニット１０２内に設けられたフラッシュメモリ１１３に画像を記憶する。なお、上記説明以外の構成は、デジタルカメラ１０と同様であり、同様の部品には同一の符号を付して詳しい説明を省略する。
【０２０５】
このデジタルカメラ１００では、レンズユニット１０２が本体ユニット１０１に装着されている場合、デジタルカメラ１０のようにシリアルドライバを用いずに、ＣＣＤ１６によって撮像された画像データに対してＹＣ変換処理を施した後、この画像データを赤外レーザ光によって、本体ユニット１０１に送信する。
【０２０６】
また、デジタルカメラ１００は、前述のデジタルカメラ１０と同様に、シンクロナイゼーション処理を行うが、前述したように、レンズユニット１０２では、フラッシュメモリ１１３に画像ファイルが記憶されるので、シンクロナイゼーション処理完了後に、フラッシュメモリ１１３に記憶した画像を消去して、次の撮影のために容量を確保しておくことが好ましい。なお、その他の作用は、前述のデジタルカメラ１０と同様であり、詳しい説明を省略する。
【０２０７】
なお、上記実施形態において、レンズユニットと本体ユニットとの間の無線通信を無線ＬＡＮ（802.11b）によって行う場合を例に説明したが、これに限るものではなく、無線ＬＡＮとして別の規格（IEEE802.11g,a）を使用しても良いし、Bluetoothを使用しても良い。
【０２０８】
また、上記実施形態において、固体撮像素子としてＣＣＤイメージセンサを用いる場合を例に説明したが、これに限るものではなく、ＣＭＯＳイメージセンサを用いても良い。
【０２０９】
さらに、上記実施形態において、本発明をデジタルカメラに適用した場合を例に説明したが、これに限るものではなく、例えば、レンズユニットが本体ユニットに着脱自在に装着されるデジタルビデオカメラに本発明を適用しても良い。
【図面の簡単な説明】
【０２１０】
【図１】第１の実施形態であるデジタルカメラの構成を示す斜視図である。
【図２】本体ユニットの背面側の構成を示す背面図である。
【図３】切り替えダイヤルの構成を示す平面図である。
【図４】セットアップ画面を示す説明図である。
【図５】デジタルカメラの電気的構成を示すブロック図である。
【図６】着脱検出部の構成を示すブロック図である。
【図７】静止画主画像ファイルの構成を示す説明図である。
【図８】静止画サムネイルファイルの構成を示す説明図である。
【図９】未完状態の動画主画像ファイルの構成を示す説明図である。
【図１０】動画サムネイルファイルの構成を示す説明図である。
【図１１】完成状態の動画主画像ファイルの構成を示す説明図である。
【図１２】本体ユニットの記憶メディアの記憶構造を示す説明図であり、主画像ファイルのみが記憶されている状態を示している。
【図１３】本体ユニットの記憶メディアの記憶構造を示す説明図であり、リモート撮影を行って、サムネイルファイルが記憶されている状態を示している。
【図１４】レンズユニットの記憶メディアの記憶構造を示す説明図である。
【図１５】本体ユニットの記憶メディアの記憶構造を示す説明図であり、シンクロナイゼーション処理が行われてサムネイルファイルが主画像ファイルに置き換えられた状態を示している。
【図１６】初期化情報生成処理を説明するフローチャートである。
【図１７】初期化情報生成処理を説明するフローチャートである。
【図１８】静止画のリモート撮影時に、レンズユニットに主画像ファイル、本体ユニットにサムネイルファイルを記憶する場合の撮影処理を説明するフローチャートである。
【図１９】静止画のリモート撮影時に、レンズユニットに主画像ファイル、本体ユニットにサムネイルファイルを記憶する場合の撮影処理を説明するフローチャートである。
【図２０】静止画のリモート撮影時に、本体ユニットに主画像ファイルを記憶する場合の撮影処理を説明するフローチャートである。
【図２１】静止画の通常撮影時に、本体ユニットに主画像ファイルを記憶する場合の撮影処理を説明するフローチャートである。
【図２２】静止画の通常撮影時に、本体ユニットに主画像ファイルを記憶する場合の撮影処理を説明するフローチャートである。
【図２３】シンクロナイゼーション処理を説明するフローチャートである。
【図２４】シンクロナイゼーション処理を説明するフローチャートである。
【図２５】第２の実施形態であるデジタルカメラの構成を示す斜視図である。
【図２６】デジタルカメラの電気的構成を示すブロック図である。
【符号の説明】
【０２１１】
１０，１００  デジタルカメラ
１１，１０１  本体ユニット
１２，１０２  レンズユニット
１３  撮影レンズ
１６  ＣＣＤ
１７，２７  アンテナ
１８，５９  マウント接点
４０  ユニット制御部
４８，６２  シリアルドライバ
４９，６３  無線Ｉ／Ｆ
５２，７２  記憶メディア
６０  本体制御部
８５  静止画主画像ファイル
８６  静止画サムネイルファイル
８７  未完状態の動画主画像ファイル
８８  動画サムネイルファイル
８９  動画主画像ファイル
１１３  フラッシュメモリ
【図１】
2007129433.tif 000004
【図２】
2007129433.tif 000005
【図３】
2007129433.tif 000006
【図４】
2007129433.tif 000007
【図５】
2007129433.tif 000008
【図６】
2007129433.tif 000009
【図７】
2007129433.tif 000010
【図８】
2007129433.tif 000011
【図９】
2007129433.tif 000012
【図１０】
2007129433.tif 000013
【図１１】
2007129433.tif 000014
【図１２】
2007129433.tif 000015
【図１３】
2007129433.tif 000016
【図１４】
2007129433.tif 000017
【図１５】
2007129433.tif 000018
【図１６】
2007129433.tif 000019
【図１７】
2007129433.tif 000020
【図１８】
2007129433.tif 000021
【図１９】
2007129433.tif 000022
【図２０】
2007129433.tif 000023
【図２１】
2007129433.tif 000024
【図２２】
2007129433.tif 000025
【図２３】
2007129433.tif 000026
【図２４】
2007129433.tif 000027
【図２５】
2007129433.tif 000028
【図２６】
2007129433.tif 000029